(57)【特許請求の範囲】
【請求項１】
リモコン信号を受信する受信手段と、リモコン信号を解読する解読手段と、解読された信号により制御を行う本体制御部と、マイコンの動作クロックを切り換える省電力手段と、前記受信手段の状態を一定間隔でサンプリングするデータサンプリング手段と、前記受信手段の入力信号により受信割込み信号を出力するエッジ検出手段を備え、前記省電力手段によりマイコンの動作クロックが低周波数に設定されている間に、前記受信手段により信号検出された後、前記データサンプリング手段により一定時間後に連続して信号検出されたときに、前記エッジ検出手段による受信割込み信号のチェックを行い、前記エッジ検出手段により受信割込み信号が出力されていれば連続的に信号入力されていないためノイズと判定し、受信割込み信号が出力されていなければ連続的に信号が入力されていると判定し、前記省電力手段によりマイコンの動作クロックを高周波数に切り換えた後、所定時間経過するまでに解読手段により信号解読されればリモコン信号と判定し、所定時間経過しても解読手段により信号解読されないときノイズと判定して、前記省電力手段により再度マイコンの動作クロックを低周波数に切り換えることを特徴とする遠隔制御信号受信装置。
【請求項２】
前記受信手段により信号検出されないときにデータサンプリングを常時行うことを特徴とする請求項１に記載の遠隔制御信号受信装置。
【発明の詳細な説明】
【技術分野】
【０００１】
本発明は待機時の低消費電力化を図った多機能を有する遠隔制御信号受信装置に関する
ものである。
【背景技術】
【０００２】
この種の遠隔制御信号受信装置は通常使用時と待機状態でマイコンの動作クロックを切り換えており、待機状態では動作クロックを低周波数に変更することで待機時のマイコンの低消費電力化を図っている。従来、リモコン受信割込み信号により、待機状態から復帰させていたが、外来ノイズをリモコン受信部が受信した場合、誤って待機モードから復帰してしまうという課題があり、リモコン受信部と省電力モードに設定する省電力設定部との間にフィルタ回路を追加し、待機中にはフィルタ回路を動作させ、外来ノイズによる誤動作を防止している（例えば、特許文献１参照）。また、低周波数の動作クロックで動作している待機状態で、リモコン受信データを解読し、その解読結果にもとづいて待機復帰させているものもある（例えば、特許文献２参照）。
【０００３】
図４は、特許文献１に記載された従来の遠隔制御信号受信装置を示す模式図である。図４に示すように、受信部１と、解読部２と、本体制御部３と、省電力設定部７と、待機中に動作するフィルタ回路８とから構成されている。
【０００４】
図５は、特許文献２に記載された従来の遠隔制御信号受信装置を示す模式図である。図５に示すように、受信部１と、解読部２と、本体制御部３と、省電力設定部７と、待機中にリモコンコードを解読する待機時解読部９とから構成されている。
【特許文献１】特開２００１−２６８７８８号公報
【特許文献２】特開２００２−２０７５２９号公報
【発明の開示】
【発明が解決しようとする課題】
【０００５】
しかしながら、前記従来の構成では、フィルタ回路８等のハードウェアの追加が必要なので、コストアップするという課題を有していた。また、低周波数の動作クロックで動作している待機状態で高速に送信されてくるリモコン受信データを解読する必要があるので、さらなる低消費電力化のため、動作クロックを超低周波数に切り換えられないという課題を有していた。
【０００６】
本発明は、前記従来の課題を解決するもので、外来ノイズによる誤動作防止をソフトウェアで対応することによりコストアップを防止し、超低周波数の動作クロックに切り換えることによりさらに消費電力に低減を図りながら、確実にリモコン受信データが受信できる遠隔制御信号受信装置を提供することを目的とする。
【課題を解決するための手段】
【０００７】
前記従来の課題を解決するために、本発明の遠隔制御信号受信装置は、リモコン信号を受信する受信手段と、リモコン信号を解読する解読手段と、解読された信号により制御を行う本体制御部と、マイコンの動作クロックを切り換える省電力手段と、前記受信手段の状態を一定間隔でサンプリングするデータサンプリング手段と、前記受信手段の入力信号により受信割込み信号を出力するエッジ検出手段を備え、前記省電力手段によりマイコンの動作クロックが低周波数に設定されている間に、前記受信手段により信号検出された後
、前記データサンプリング手段により一定時間後に連続して信号検出されたときに、前記エッジ検出手段による受信割込み信号のチェックを行い、前記エッジ検出手段により受信割込み信号が出力されていれば連続的に信号入力されていないためノイズと判定し、受信割込み信号が出力されていなければ連続的に信号が入力されていると判定し、前記省電力手段によりマイコンの動作クロックを高周波数に切り換えた後、所定時間経過するまでに解読手段により信号解読されればリモコン信号と判定し、所定時間経過しても解読手段により信号解読されないときノイズと判定して、前記省電力手段により再度マイコンの動作クロックを低周波数に切り換える。これによって、外来ノイズにより省電力モードから復帰するという誤動作を防止できる。
【発明の効果】
【０００８】
本発明の遠隔制御信号受信装置は、外来ノイズによる誤動作防止をソフトウェアで対応することによりコストアップを防止し、ソフトウェアの実行ステップ数を小さくすることにより超低周波数の動作クロックに切り換えることが可能となり、さらに消費電力に低減を図りながら、確実にリモコン受信データが受信できる。
【発明を実施するための最良の形態】
【０００９】
第１の発明は、リモコン信号を受信する受信手段と、リモコン信号を解読する解読手段と、解読された信号により制御を行う本体制御部と、マイコンの動作クロックを切り換える省電力手段と、前記受信手段の状態を一定間隔でサンプリングするデータサンプリング手段と、前記受信手段の入力信号により受信割込み信号を出力するエッジ検出手段を備え、前記省電力手段によりマイコンの動作クロックが低周波数に設定されている間に、前記受信手段により信号検出された後、前記データサンプリング手段により一定時間後に連続して信号検出されたときに、前記エッジ検出手段による受信割込み信号のチェックを行い、前記エッジ検出手段により受信割込み信号が出力されていれば連続的に信号入力されていないためノイズと判定し、受信割込み信号が出力されていなければ連続的に信号が入力されていると判定し、前記省電力手段によりマイコンの動作クロックを高周波数に切り換えた後、所定時間経過するまでに解読手段により信号解読されればリモコン信号と判定し、所定時間経過しても解読手段により信号解読されないときノイズと判定して、前記省電力手段により再度マイコンの動作クロックを低周波数に切り換えることにより、一定間隔のデータ受信が確認でき、リモコン受信信号と外来ノイズとの区別が可能となり、外来ノイズにより省電力モードから復帰するという誤動作による余計な消費電力の増加を防止できる。
【００１０】
第２の発明は、特に、第１の発明で受信手段により信号検出されないときにデータサンプリングを常時行うことにより、より確実にリモコン受信開始時の検出可能となり、確実にリモコン受信データが受信できる。
【００１２】
以下、本発明の実施の形態について、図面を参照しながら説明する。なお、この実施の形態によって本発明が限定されるものではない。
【００１３】
（実施の形態１）
図１は、本発明の実施の形態１における遠隔制御信号受信装置のブロック図を示すものである。
【００１４】
図１において、リモコン信号を受信する受信部１と、受信部１で受信されたリモコン信号を解読する解読部２と、解読部２で解読された信号により制御を行う本体制御部３と、リモコン受信信号を一定間隔でサンプリングするデータサンプリング部４と、受信部１の受信状態によりデータサンプリング部４のサンプリング周期を変更するサンプリング周期変更部５と、リモコン受信入力信号によりリモコン受信割込み信号を出力するエッジ検出部６と、データサンプリング部４とエッジ検出部６の出力状態により本体制御部３を省電力モードに設定する省電力設定部７とで構成している。
【００１５】
データサンプリング部４により２回以上連続して信号検出されると省電力設定部７により省電力モードから復帰させる。これによって、外来ノイズにより省電力モードから復帰するという誤動作を防止できる。
【００１６】
エッジ検出部６によるリモコン受信割込み信号をチェックすることにより、データサンプリング間も連続して信号受信していることが確認でき、より確実に外来ノイズにより省
電力モードから復帰するという誤動作を防止できる。エッジ検出部６によりリモコン受信割込み信号が出力されれば省電力設定部７により省電力モードから復帰させない。エッジ検出部６によるリモコン受信割込み信号のチェックをデータサンプリング部４により信号検出されたときに行い、エッジ検出部６によりリモコン受信割込み信号が出力されていなければ省電力設定部７により省電力モードから復帰させる。
【００１７】
サンプリング周期変更部５は、リモコン受信データのサンプリング周期をランダムに変更することが出来ると共に、データサンプリング部４により信号検出されたときと信号検出されないときでサンプリング周期を変更できる。データサンプリング部４により信号検出されないときには、データサンプリングを常時行う。サンプリング周期変更部５によってデータサンプリング周期を変更することにより、蛍光灯等の一定周期で発生する外来ノイズにより省電力モードから復帰するという誤動作を防止できる。
【００１８】
省電力モードはマイコンの動作クロックを信号を高周波数から低周波数に切換えた状態である。省電力モードが一定時間継続するとマイコンの動作クロックを停止する。省電力設定部７により省電力モードから復帰させた後、所定時間経過しても解読部２により信号解読されないときノイズと判定して、省電力設定部７により再度省電力モードに設定する。
【００１９】
以上のように構成された遠隔制御信号受信装置について、以下その動作を図２のフローチャートを用いて説明する。
【００２０】
図２において、電源投入により、動作クロックは高周波数モードで動作する（Ｓ１）。待機モード判定条件が成立するまで、動作クロックは高周波数モードで動作し（Ｓ２）、待機モード判定条件が成立すると、動作クロックを高周波数から低周波数に切り換え（Ｓ３）、この後、動作クロックは低周波数モードで動作する。動作クロックが低周波数モードでは、まず、リモコン受信割込み信号をクリアする（Ｓ４）。その後、ウエイト時間Ｔ経過後（Ｓ５）、受信部１にリモコン信号が入力されるまで無限ループさせる（Ｓ６）。受信部１に何らかの信号が入力されると、リモコン割込み信号を確認し、リモコン割込み信号があれば、ノイズと判断しＳ４に戻る（Ｓ７）。リモコン割込み信号がなければ、リモコン受信信号と判断し、動作クロックを低周波数から高周波数に切り換える（Ｓ８）。高周波数モードに切換わると、リモコン信号解読を行い、リモコン信号受信が完了すると通常動作Ｓ１に移る（Ｓ９）。リモコン信号受信が完了しない場合は一定時間ｔ経過するまで、リモコン信号解読処理を行う。一定時間ｔ経過しても、リモコン信号受信が完了しない場合は、ノイズと判定し、低周波数モードＳ３へ移る（Ｓ１０）。
【００２１】
図３は本発明の実施の形態１における低周波数モードでの受信部１の出力信号と動作クロックの状態と図２のフローチャートにおいてどのステップを実行しているのかを表したタイミングチャートである。図３のＡで待機モードの条件が成立し、低周波数モードに切り換えるとともに、リモコン割込み信号をクリアする。その後、時間Ｔだけウエイトし、Ｂからリモコン受信信号のチェックを開始する。Ｃでノイズにより、信号が受信されるが、割込み信号が発生するため、再度、割込み信号をクリアし、時間Ｔだけウエイトする。Ｄでは、受信信号が確認できないため、再度、リモコン受信信号のチェックを開始する。Ｅで、リモコン信号が受信され、再度、割込み信号をクリアし、時間Ｔだけウエイトする。Ｆでリモコン信号が受信され、割込み信号は発生しないので、高周波数モードに移行する。
【００２２】
以上のように、本実施の形態においては、リモコン受信データは確実に受信するとともに、外来ノイズによる誤動作防止をソフトウェアで対応することができ、コストアップを防止することができる。また、信号受信状態と割込み信号で判定することにより、低周波
数モードでの実行ステップ数を小さくでき（本実施の形態ではＳ４〜Ｓ７の４ステップ）、超低周波数の動作クロックに切り換えても、高速なリモコン送信データの受信が可能となり、さらなる消費電力に低減を図ることができる。
【産業上の利用可能性】
【００２３】
以上のように、本発明にかかる遠隔制御信号受信装置は、外来ノイズによる誤動作防止をソフトウェアで対応することによりコストアップを防止し、ソフトウェアの実行ステップ数を小さくすることにより超低周波数の動作クロックに切り換えることが可能となり、さらに消費電力に低減を図りながら、確実にリモコン受信データが受信が可能となるので、テレビ、ビデオ等のＡＶ機器や空気調和機等の家電機器等のリモコンで遠隔操作を行う電子機器の用途にも適用できる。
【図面の簡単な説明】
【００２４】
【図１】本発明の実施の形態１における遠隔制御信号受信装置のブロック図
【図２】本発明の実施の形態１における遠隔制御信号受信装置の動作を示すフローチャート
【図３】本発明の実施の形態１における低周波数モードでのタイミングチャート
【図４】従来の遠隔制御信号受信装置を示すブロック図
【図５】従来の遠隔制御信号受信装置を示すブロック図
【符号の説明】
【００２５】
１  受信部
２  解読部
３  本体制御部
４  データサンプリング部
５  サンプリング周期変更部
６  エッジ検出部
７  省電力設定部
【図１】
0004329479.tif 000002
【図２】
0004329479.tif 000003
【図３】
0004329479.tif 000004
【図４】
0004329479.tif 000005
【図５】
0004329479.tif 000006